(57)【要約】【課題】  長時間ＥＰＧ情報を取得できない状況であっても、全てのチャンネルのＥＰＧ情報を最新の情報に更新することが可能となる。【解決手段】  ＴＶ１とＳＴＢ２とが接続されているシステムにおいて、ＴＶ１は、ＥＰＧ情報を更新する場合、ＥＰＧ情報が取得可能な状態であるか否かを判断し、ＥＰＧ情報の取得が可能な状態でなければ、ＳＴＢ２にＥＰＧ情報の取得を要求する。ＳＴＢ２では、ＴＶ１からのＥＰＧ情報の取得要求を受信した場合、ＥＰＧ情報の取得が可能な状態あれば、ＥＰＧ情報の取得処理を行い、取得したＥＰＧ情報（最新のＥＰＧ情報）をＴＶ１へ送信する。これにより、ＴＶ１では、ＳＴＢ２から受信した最新のＥＰＧ情報に基づいて、メモリ部１１１に保存しているＥＰＧ情報を更新する。【選択図】      図１
2009016911.tif 000002
【特許請求の範囲】
【請求項１】
放送波を復調する復調部を有するテレビ受信機において、
前記復調部により復調した信号から番組情報を抽出する抽出部と、
前記番組情報を記憶するメモリと、
前記番組情報を放送波から抽出する機能を有する別のテレビ受信機と通信を行うインターフェースと、
前記復調部が更新の必要な番組情報を含む放送波を取得できない状態である場合、前記インターフェースにより通信可能な前記別のテレビ受信機の機能により前記番組情報を取得させる制御を行う制御部と、
前記制御部の制御により前記別のテレビ受信機に取得させた番組情報に基づいて前記メモリに記憶されている番組情報を更新する処理部と、
を有することを特徴とするテレビ受信機。
【請求項２】
前記制御部は、前記復調部が更新すべき番組情報を含む放送波以外の放送波を復調中か否かにより、前記復調部が番組情報を含む放送波を取得できない状態であるか否かを判断する、
ことを特徴とする前記請求項１に記載のテレビ受信機。
【請求項３】
前記制御部は、所定の時刻毎あるいはユーザからの要求に応じて前記メモリに記憶している番組情報の更新開始を判断する、
ことを特徴とする前記請求項１又は２に記載のテレビ受信機。
【請求項４】
前記処理部は、前記メモリに記憶されている番組情報と前記別のテレビ受信機に取得させた番組情報とを比較することにより、前記メモリに記憶されている番組情報を新しい情報に更新する、
ことを特徴とする前記請求項１乃至３のいずれか１項に記載のテレビ受信機。
【請求項５】
さらに、前記復調部により放送波を復調することにより得られた映像信号を表示する表示部を有する、
ことを特徴とする前記請求項１乃至４のいずれか１項に記載のテレビ受信機。
【請求項６】
放送波を復調する第１、第２の復調部を有する第１、第２のテレビ受信機から構成されるテレビ放送の受信システムにおいて、
前記第１のテレビ受信機は、
前記第１の復調部により復調した信号から番組情報を抽出する第１の抽出部と、
前記番組情報を記憶する第１のメモリと、
前記第２のテレビ受信機と通信を行うための第１のインターフェースと、
前記第１の復調部が更新の必要な番組情報を含む放送波を取得できない状態である場合、前記第１のインターフェースにより通信可能な前記第２のテレビ受信機に前記番組情報の取得を要求する第１の制御部と、
前記番組情報の取得要求に応じて前記第２のテレビ受信機から受信した番組情報に基づいて前記メモリに記憶されている番組情報を更新する処理部と、を有し、
前記第２のテレビ受信機は、
前記第２の復調部により復調した信号から番組情報を抽出する第２の抽出部と、
前記第１のテレビ受信機と通信を行うための第２のインターフェースと、
前記第２のインターフェースにより前記第１のテレビ受信機から番組情報の取得要求を受信した場合、前記第２の抽出部により前記第２の復調部により復調した信号から番組情報を抽出し、その抽出した番組情報を前記第１のテレビ受信機へ送信する第２の制御部と、を有する、
ことを特徴とするテレビ放送の受信システム。
【請求項７】
前記第１の制御部は、前記第１の復調部が更新すべき番組情報を含む放送波以外の放送波を復調中か否かにより、前記第１の復調部が番組情報を含む放送波を取得できない状態であるか否かを判断する、
ことを特徴とする前記請求項６に記載のテレビ放送の受信システム。
【請求項８】
前記第１の制御部は、所定の時刻毎あるいはユーザからの要求に応じて前記第１のメモリに記憶している番組情報の更新開始を判断する、
ことを特徴とする前記請求項６又は７に記載のテレビ放送の受信システム。
【請求項９】
前記処理部は、前記第１のメモリに記憶されている番組情報と前記第２のテレビ受信機から受信した番組情報とを比較することにより、前記第１のメモリに記憶されている番組情報を新しい情報に更新する、
ことを特徴とする前記請求項６乃至８のいずれか１項に記載のテレビ放送の受信システム。
【請求項１０】
さらに、前記第２のテレビ受信機は、番組情報を記憶する第２のメモリを有し、
前記第２の制御部は、前記第２のインターフェースにより前記第１のテレビ受信機から番組情報の取得要求を受信した場合、前記第２の復調部が前記番組情報を含む放送波を取得できる状態であれば、前記第２の抽出部により前記第２の復調部により復調した信号から番組情報を抽出し、その抽出した番組情報を前記第１のテレビ受信機へ送信し、前記第２の復調部が前記番組情報を含む放送波を取得できない状態であれば、前記第２のメモリに記憶している番組情報を前記第１のテレビ受信機へ送信し、
前記処理部は、前記第１のメモリに記憶されている番組情報と前記第２のテレビ受信機から受信した番組情報とを比較することにより、前記第１のメモリに記憶されている番組情報を新しい情報に更新する、
ことを特徴とする前記請求項６乃至９のいずれか１項に記載のテレビ放送の受信システム。
【請求項１１】
放送波を復調する復調部と、前記復調部により復調した信号から番組情報を抽出する抽出部と、前記番組情報を記憶するメモリと、を有するテレビ受信機に用いられる番組情報の取得方法であって、
前記復調部が更新の必要な番組情報を含む放送波を復調できない状態である場合、前記番組情報を前記放送波から抽出する機能を有する別のテレビ受信機に前記番組情報を取得させ、
前記別のテレビ受信機に取得させた番組情報に基づいて前記メモリに記憶されている番組情報を更新する、
を有することを特徴とするテレビ受信機に用いられる番組情報の取得方法。
【発明の詳細な説明】
【技術分野】
【０００１】
本発明は、テレビ放送波に含まれる番組情報を取得するテレビ受信機、テレビ放送の受信システム、および、テレビ受信機に用いられる番組情報の取得方法などに関する。
【背景技術】
【０００２】
近年、たとえば、地上デジタル放送には、各チャンネルのデジタル放送波にそれぞれ各放送局の番組情報が含まれている。このような形態では、各放送局の番組情報を取得するために、各チャンネルの放送波を一定時間以上受信し、各放送局の番組情報を取得する必要がある。また、アナログ放送においては、たとえば、所定の時間帯に特定のチャンネルの放送波により各放送局の番組情報が提供されている。このような形態では、テレビ受信機は、番組情報を取得するため、所定の時間帯に特定のチャンネルを一定時間以上受信する必要がある。しかしながら、同じチャンネルの放送を長時間視聴するような使用状況の場合、テレビ受信機では、他のチャンネルの放送波に含まれる番組情報を取得することができない。
【０００３】
従来、たとえば、ネットワーク接続された複数のテレビ受信機が、各テレビ受信機の番組情報を共有するシステムが提案されている（特許文献１）。しかしながら、特許文献１に記載の技術は、他のテレビ受信機が既にメモリに保持している番組情報を共有するシステムである。このため、他のテレビ受信機が最新のＥＰＧ情報を保持しているとは限らないという問題がある。また、ネットワーク接続されたテレビ受信機の数が多くなれば、あるテレビ受信機が、他の複数のテレビ受信機が保持している番組情報から最新の番組情報を検出するための処理に時間がかかるという問題もある。
【特許文献１】特開２００５−１７５７８８号公報
【発明の開示】
【発明が解決しようとする課題】
【０００４】
本発明の一形態では、放送波に含まれる番組情報を効率的に取得することができるテレビ受信機、テレビ放送の受信システム、および、テレビ受信機に用いられる番組情報の取得方法を提供することを目的とする。
【課題を解決するための手段】
【０００５】
この発明の一形態としてのテレビ受信機は、放送波を復調する復調部を有するものにおいて、前記復調部により復調した信号から番組情報を抽出する抽出部と、前記番組情報を記憶するメモリと、前記番組情報を放送波から抽出する機能を有する別のテレビ受信機と通信を行うインターフェースと、前記復調部が更新の必要な番組情報を含む放送波を取得できない状態である場合、前記インターフェースにより通信可能な前記別のテレビ受信機の機能により前記番組情報を取得させる制御を行う制御部と、前記制御部の制御により前記別のテレビ受信機に取得させた番組情報に基づいて前記メモリに記憶されている番組情報を更新する処理部とを有する。
【０００６】
この発明の一形態としてのテレビ放送の受信システムは、放送波を復調する第１、第２の復調部を有する第１、第２のテレビ受信機から構成されるシステムにおいて、前記第１のテレビ受信機は、前記第１の復調部により復調した信号から番組情報を抽出する第１の抽出部と、前記番組情報を記憶する第１のメモリと、前記第２のテレビ受信機と通信を行うための第１のインターフェースと、前記第１の復調部が更新の必要な番組情報を含む放送波を取得できない状態である場合、前記第１のインターフェースにより通信可能な前記第２のテレビ受信機に前記番組情報の取得を要求する第１の制御部と、前記番組情報の取得要求に応じて前記第２のテレビ受信機から受信した番組情報に基づいて前記メモリに記憶されている番組情報を更新する処理部とを有し、前記第２のテレビ受信機は、前記第２の復調部により復調した信号から番組情報を抽出する第２の抽出部と、前記第１のテレビ受信機と通信を行うための第２のインターフェースと、前記第２のインターフェースにより前記第１のテレビ受信機から番組情報の取得要求を受信した場合、前記第２の抽出部により前記第２の復調部により復調した信号から番組情報を抽出し、その抽出した番組情報を前記第１のテレビ受信機へ送信する第２の制御部とを有する。
【０００７】
この発明のテレビ受信機に用いられる番組情報の取得方法は、放送波を復調する復調部と、前記復調部により復調した信号から番組情報を抽出する抽出部と、前記番組情報を記憶するメモリと、を有するテレビ受信機に用いられる方法であって、前記復調部が更新の必要な番組情報を含む放送波を復調できない状態である場合、前記番組情報を前記放送波から抽出する機能を有する別のテレビ受信機に前記番組情報を取得させ、前記別のテレビ受信機に取得させた番組情報に基づいて前記メモリに記憶されている番組情報を更新する。
【発明の効果】
【０００８】
本発明の一形態によれば、放送波に含まれる番組情報を効率的に取得することができるテレビ受信機、テレビ放送の受信システム、および、テレビ受信機に用いられる番組情報の取得方法を提供できる。
【発明を実施するための最良の形態】
【０００９】
以下、本発明を実施するための最良の形態について図面を参照して詳細に説明する。  
図１は、本実施の形態に係るテレビ放送の受信システムの構成例を示す図である。図１に示すテレビ放送の受信システムは、テレビ受信機としてのテレビジョン受像装置（ＴＶ：television）１、テレビ受信機としての周辺機器（ＳＴＢ: set top box）２、アンテナ３などにより構成される。
【００１０】
テレビジョン受像装置（以下、ＴＶと称する）１は、アンテナ３で取得した放送波を映像信号および音声信号に変換し、その映像信号および音声信号に基づく映像を表示部に表示するとともに、音声を出力するものである。また、ＴＶ１は、放送波に含まれる番組情報を取得し、その番組情報を表示部に表示する機能を有している。ＴＶ１が取得する番組情報は、電子番組表（ＥＰＧ：Electronic Program Guide）と呼ばれる。ここで、上記ＥＰＧ情報は、デジタル放送波に含まれるものもあるし、アナログ放送波に含まれるものもあるとする。ただし、本実施の形態において、デジタル放送波には、各放送局（チャンネル）の放送波に当該放送局の番組情報が含まれ、アナログ放送波には、特定の時間帯に発信される特定のチャンネルの放送波に各放送局の番組情報が含まれるものとする。
【００１１】
周辺機器（以下、ＳＴＢとも称する）２は、アンテナ３で受信した放送波から上記ＥＰＧ情報を取得する機能を有する電子機器である。たとえば、ＳＴＢ２としては、ケーブルテレビ、ＢＳ／ＣＳ放送などの受信機、ＤＶＤ(Digital Versatile Disk)レコーダ、ハードディスクレコーダ、あるいは、ＡＶ（Audio Visual）パソコンなどの映像機器が想定される。ＳＴＢ２は、ＴＶ１に映像信号および音声信号を供給し、当該ＴＶ１に映像および音声を出力させる。また、本実施の形態において、ＴＶ１とＳＴＢ２とは、ＥＰＧ情報などを送受信するための双方向の通信機能を有している。
【００１２】
次に、テレビジョン受像装置（ＴＶ）１の構成について説明する。  
図１に示すように、ＴＶ１は、制御部１００、デジタルチューナ１０１、復調器１０２、トランスポートストリーム（ＴＳ：transport stream）処理部１０３、アナログチューナ１０４、アナログ復調器１０５、アナログＥＰＧ処理回路１０６、信号処理部１０７、表示部１０８、音声出力（スピーカ）部１０９、ＥＰＧ処理部１１０、メモリ部１１１、ＥＰＧデータ通信用回路１１２、制御端子１１３、外部入力端子１１４などを有している。
【００１３】
制御部１００は、ＴＶ１全体の制御を司るものである。制御部１００は、たとえば、ＣＰＵ、ＲＡＭ（ワーキングメモリ）、ＲＯＭ（プログラムメモリ）、不揮発性メモリなどにより構成される。制御部１００では、ＣＰＵがＲＯＭあるいは不揮発性メモリに記憶されている制御プログラムを実行することにより種々の処理を実現している。また、制御部１００は、時刻を計時するためのタイマ１００ａを有している。これにより、制御部１００では、時刻管理などが可能となっている。
【００１４】
デジタルチューナ１０１は、アンテナ３で受信したデジタル放送波から特定のチャンネルのデジタル放送波を選局するものである。デジタルチューナ１０１は、制御部１００により指定されたチャンネルのデジタル放送波を選局するようになっている。  
復調器１０２は、デジタルチューナ１０１により選択されたチャンネルのデジタル放送波を復調する。復調器１０２は、例えば、ＯＦＤＭ（Orthogonal Frequency Division Multiplexing）復調器、ＰＳＫ（Phase Shift Keying）復調器などにより構成される。ここで、復調器１０２は、デジタル放送波からＭＰＥＧ  ＴＳ信号を復調する処理を行う。
【００１５】
トランスポートストリーム処理部１０３は、復調器１０２から供給されるＭＰＥＧ  ＴＳ信号のＴＳ復号処理を行う。トランスポートストリーム処理部１０３によるＴＳ復号処理では、デジタルチューナ１０１で選局されたチャンネルのデジタル放送波から、当該放送局が放送している番組のデジタル放送信号（デジタル映像信号及びデジタル音声信号）と、当該放送局が提供する各種データ（ＥＰＧ情報、番組属性情報、設定情報など）とをそれぞれ抽出する。トランスポートストリーム処理部１０３は、ＴＳ復号処理によって得られたデジタル映像信号及び音声信号を信号処理部１０７へ出力するとともに、ＴＳ復号処理によって得られたＥＰＧ情報をＥＰＧ処理部１１０へ出力する。
【００１６】
アナログチューナ１０４は、アンテナ３で受信したアナログ放送波から特定のチャンネルのアナログ放送波を選局するものである。アナログチューナ１０４は、制御部１００により指定されたチャンネルのアナログ放送波を選局するようになっている。  
アナログ復調器１０５は、アナログチューナ１０４により選択されたチャンネルのアナログ放送波を復調する。アナログ復調器１０５は、復調した信号を放送信号（映像信号および音声信号）として信号処理部１０７へ出力するとともに、アナログＥＰＧ処理回路１０６へ出力する。  
アナログＥＰＧ処理回路１０６は、アナログ復調器１０５により復調された信号からＥＰＧ情報を抽出する。アナログＥＰＧ処理回路１０６は、抽出したＥＰＧ情報をＥＰＧ処理部１１０へ出力する。
【００１７】
信号処理部１０７は、制御部１００による制御に基づいて、トランスポートストリーム処理部１０３あるいはアナログ復調器１０５から供給される放送信号のうち映像信号に基づく映像を表示部１０８に表示させるとともに、音声信号に基づく音声を音声出力部１０９により出力させる処理を行う。また、信号処理部１０７では、映像に対する種々の画像処理などを行うようになっている。たとえば、信号処理部１０７は、ＯＳＤ（オンスクリーンディスプレイ）合成機能を有している。この機能により、信号処理部１０７は、たとえば、ＥＰＧ処理部１１０から番組情報としての文字情報が供給されると、その番組情報を表示データに変換し、その表示データを表示部１０８に表示する。
【００１８】
表示部１０８は、信号処理部１０７から与えられる映像信号に基づく映像を表示する表示装置である。音声出力部１０９は、信号処理部１０７から与えられる音声信号に基づく音声を出力するスピーカである。  
ＥＰＧ処理部１１０は、ＥＰＧ情報の管理を行う。ＥＰＧ処理部１１０は、ＣＰＵ、ＲＡＭ、ＲＯＭ、不揮発性メモリなどにより構成される。この場合、ＥＰＧ処理部１１０は、ＣＰＵがＲＯＭあるいは不揮発性メモリに記憶されている制御プログラムを実行することにより種々の処理を実現するようになっている。メモリ部１１１は、ＥＰＧ情報を記憶するための記憶装置である。メモリ部１１１は、たとえば、書換え可能な不揮発性メモリにより構成される。ＥＰＧデータ通信用回路１１２と制御端子１１３とは、ＳＴＢ２と通信するためのインターフェースとして機能する。たとえば、ＥＰＧデータ通信用回路１１２および制御端子１１３は、ＥＰＧ情報などを送受信するための専用ポートで構成されることが想定される。ただし、ＥＰＧデータ通信用回路１１２および制御端子１１３としては、ＨＤＭＩ−ＣＥＣ機能による通信用インターフェースあるいはＬＡＮ等のネットワーク通信機能による通信用インターフェースを用いるようにしても良い。
【００１９】
ＥＰＧ処理部１１０は、たとえば、トランスポートストリーム処理部１０３あるいはアナログＥＰＧ処理回路１０６により取得されたＥＰＧ情報をメモリ部１１１に保存する処理を行う。すなわち、ＥＰＧ処理部１１０は、トランスポートストリーム処理部１０３あるいはアナログＥＰＧ処理回路１０６から供給されるＥＰＧ情報によりメモリ部１１１に記憶しているＥＰＧ情報を更新する機能を有している。
【００２０】
また、ＥＰＧ処理部１１０は、メモリ部１１１に記憶しているＥＰＧ情報を信号処理部１０７のＯＳＤ機能により表示部１０８に表示させる機能を有している。すなわち、ＥＰＧ処理部１１０は、制御部１００からＥＰＧ情報の表示が要求されると、メモリ部１１１からＥＰＧ情報を読み出して信号処理部１０７へ供給する。これにより、信号処理部１０７は、ＯＳＤ機能によりＥＰＧ処理部１１０から与えられたＥＰＧ情報に基づく表示データを生成し、生成した表示データを表示部１０８に表示させる。
【００２１】
さらに、ＥＰＧ処理部１１０は、ＥＰＧデータ通信用回路１１２および制御端子１１３を介して当該ＴＶ１に接続されているＳＴＢ２に対して最新のＥＰＧ情報を要求する機能を有している。この場合、ＥＰＧ処理部１１０は、ＳＴＢ２にＥＰＧ情報の取得を要求し、その要求に応じてＳＴＢ２で取得されたＥＰＧ情報を当該ＳＴＢ２から受信する。たとえば、デジタルチューナ１０１あるいはアナログチューナ１０４が特定のチャンネルの放送波を長時間受信している状態である場合、ＥＰＧ処理部１１０は、ＥＰＧデータ通信用回路１１２および制御端子１１３を介してＳＴＢ２にＥＰＧ情報の取得を要求する処理を行う。
【００２２】
逆に、ＥＰＧ処理部１１０は、ＳＴＢ２からのＥＰＧ情報の取得要求に応じてＥＰＧ情報を取得する処理を行う機能も有している。すなわち、ＥＰＧ処理部１１０は、ＥＰＧデータ通信用回路１１２および制御端子１１３を介してＳＴＢ２からＥＰＧ情報の取得を要求されると、上記各部を用いてＥＰＧ情報を取得する処理を行い、取得したＥＰＧ情報を当該ＳＴＢ２へ送信する。
【００２３】
外部入力端子１１４は、ＳＴＢ２から供給される映像信号および音声信号を信号処理部１０７へ供給する。これにより、外部入力端子１１４を介して外部機器としてのＳＴＢ２からＴＶ１に与えられる映像信号及び音声信号は、信号処理部１０７により表示部１０８に表示したり、音声出力部１０９により出力されたりすることが可能となっている。
【００２４】
上記ＴＶ１におけるデジタル放送の受信処理について概略的に説明する。
【００２５】
ＴＶ１は、制御部１００、デジタルチューナ１０１、復調器１０２、トランスポートストリーム処理部１０３、信号処理部１０７などによりデジタル放送を表示部１０８に表示する機能を有している。  
アンテナ３で受信されたデジタル放送波は、ＴＶ１のデジタルチューナ１０１に入力される。デジタルチューナ１０１は、制御部１００による制御信号に基づいて、アンテナ３で受信したデジタル放送波から所望の放送局（チャンネル）の放送信号を選局する。復調器１０２は、デジタルチューナ１０１により選局されたチャンネルのデジタル放送波を復調する。
【００２６】
ここで、デジタルチューナ１０１により選局されたチャンネルのデジタル放送波から復調された信号は、ＭＰＥＧ  ＴＳ信号であるものとする。トランスポートストリーム処理部１０３は、復調器１０２から供給されるＭＰＥＧ  ＴＳ信号のＴＳ復号処理を行う。トランスポートストリーム処理部１０３は、上記ＴＳ復号処理により得られるデジタル映像信号及び音声信号を信号処理部１０７に出力する。これにより、信号処理部１０７では、受信した放送信号のうち映像信号に基づく映像を表示部１０８に表示させるとともに、音声信号に基づく音声を音声出力部１０９により出力させる処理を行う。
【００２７】
また、ＴＶ１は、制御部１００、デジタルチューナ１０１、復調器１０２、ＥＰＧ処理部１１０などによりデジタル放送からＥＰＧ情報を取得する機能を有している。  
ここで、デジタル放送波に含まれるＥＰＧ情報は、たとえば、各放送局の番組情報が各チャンネルのデジタル放送波に含まれるものとする。このようなＥＰＧ情報を受信するため、制御部１００は、たとえば、各チャンネルの放送波を定期的に受信するように、デジタルチューナ１０１を制御する。上記のように、デジタルチューナ１０１により受信された各チャンネルのデジタル放送波は、復調器１０２により復調され、トランスポートストリーム処理部１０３に供給される。トランスポートストリーム処理部１０３では、上述したＴＳ復号処理により得られる各放送局のＥＰＧ情報をＥＰＧ処理部１１０へ出力する。これにより、ＥＰＧ処理部１１０では、デジタル放送波から抽出されたＥＰＧ情報をメモリ部１１１に保存する処理などを行う。
【００２８】
なお、図１に示す構成例では、デジタル放送波を受信するためのチューナが１つのみである。このため、デジタルチューナ１０１が使用中である場合（たとえば、長時間特定の放送局のデジタル放送を表示している状態である場合）、制御部１００は、ＥＰＧ情報を取得するために各チャンネルに切り換える制御を行わない。つまり、ＴＶ１では、特定のチャンネルの放送波を受信するためにデジタルチューナ１０１が使用されている場合、別のチャンネルのデジタル放送波からＥＰＧ情報を取得する処理を行わないようになっている。
【００２９】
次に、ＴＶ１におけるアナログ放送の受信処理について概略的に説明する。  
ＴＶ１は、制御部１００、アナログチューナ１０４、アナログ復調器１０５、信号処理部１０７などによりアナログ放送を表示部１０８に表示する機能を有している。  
すなわち、アンテナ３で受信されたアナログ放送波は、ＴＶ１のアナログチューナ１０４に入力される。アナログチューナ１０４は、制御部１００による制御信号に基づいてアンテナ３で受信したアナログ放送波から所望の放送局（チャンネル）の放送信号を選局する。アナログ復調器１０５は、アナログチューナ１０４により選択されたチャンネルの放送波を復調する。アナログ復調器１０５は、復調した信号を放送信号（映像信号および音声信号）として信号処理部１０７に出力する。信号処理部１０７では、受信した放送信号のうち映像信号に基づく映像を表示部１０８に表示させるとともに、音声信号に基づく音声を音声出力部１０９により出力させる処理を行う。
【００３０】
また、ＴＶ１は、制御部１００、アナログチューナ１０４、アナログ復調器１０５、アナログＥＰＧ処理回路１０６、ＥＰＧ処理部１１０などによりアナログ放送からＥＰＧ情報を取得する機能を有している。  
ここで、アナログ放送に含まれるＥＰＧ情報は、たとえば、特定の時間帯に特定のチャンネルの放送波に含まれるものとする。この場合、制御部１００は、ＥＰＧ情報を受信するため、所定の時間帯に所定のチャンネルの放送波を受信するように、アナログチューナ１０４を制御する。これにより、アナログチューナ１０４により受信された特定のチャンネルの放送波は、アナログ復調器１０５により復調される。アナログＥＰＧ処理回路１０６は、アナログ復調器１０５により復調された信号からＥＰＧ情報を抽出する。アナログＥＰＧ処理回路１０６により抽出されたＥＰＧ情報は、ＥＰＧ処理部１１０に供給される。ＥＰＧ処理部１１０では、アナログＥＰＧ処理回路１０６から供給されたＥＰＧ情報をメモリ部１１１に保存する処理などを行う。
【００３１】
なお、図１に示す構成例では、アナログ放送を受信するためのチューナが１つのみである。このため、アナログチューナ１０４が使用中である場合（たとえば、他のチャンネルのアナログ放送を表示している状態である場合）、制御部１００は、ＥＰＧ情報を取得するために受信するチャンネルを切り換える制御を行わない。つまり、ＴＶ１では、別のチャンネルの放送波を受信するためにアナログチューナ１０４が使用されている場合、アナログ放送波からＥＰＧ情報を取得する処理を行わないようになっている。
【００３２】
次に、周辺機器（ＳＴＢ）２の構成について説明する。  
図１に示すように、ＳＴＢ２は、制御部２００、デジタルチューナ２０１、復調器２０２、トランスポートストリーム（ＴＳ：transport stream）処理部２０３、アナログチューナ２０４、アナログ復調器２０５、アナログＥＰＧ処理回路２０６、信号処理部２０７、映像出力端子２０８、音声出力端子２０９、ＥＰＧ処理部２１０、メモリ部２１１、ＥＰＧデータ通信用回路２１２、制御端子２１３などを有している。
【００３３】
なお、制御部２００、デジタルチューナ２０１、復調器２０２、トランスポートストリーム処理部２０３、アナログチューナ２０４、アナログ復調器２０５、アナログＥＰＧ処理回路２０６、信号処理部２０７、ＥＰＧ処理部２１０、メモリ部２１１、ＥＰＧデータ通信用回路２１２および制御端子２１３は、それぞれ、制御部１００、デジタルチューナ１０１、復調器１０２、トランスポートストリーム（ＴＳ：transport stream）処理部１０３、アナログチューナ１０４、アナログ復調器１０５、アナログＥＰＧ処理回路１０６、信号処理部１０７、ＥＰＧ処理部１１０、メモリ部１１１、ＥＰＧデータ通信用回路１１２および制御端子１１３と同様な機能を有しているため、詳細な説明を省略する。
【００３４】
また、映像出力端子２０８は、映像信号を外部出力するためのインターフェースである。音声出力端子２０９は、音声信号を外部出力するためのインターフェースである。図１に示す例では、映像出力端子２０８および音声出力端子２０９は、ＴＶ１の外部入力端子１１４に接続されている。このため、ＳＴＢ２の信号処理部２０７で処理された映像信号、音声信号は、それぞれ映像出力端子２０８、音声出力端子２０９を介してＴＶ１の外部入力端子に入力される。これにより、ＴＶ１では、信号処理部１０７により外部入力端子１１４に入力されたＳＴＢ２からの映像信号に基づく映像を表示部１０８に表示し、ＳＴＢ２からの音声信号に基づく音声を音声出力部１０９により出力するようになっている。
【００３５】
次に、ＥＰＧ情報の取得処理（更新処理）について説明する。  
図２（ａ）は、ＴＶ１におけるＥＰＧ情報の取得処理（更新処理）を説明するためのフローチャートである。図２（ｂ）は、ＴＶ１におけるＥＰＧ情報の取得処理に応じたＳＴＢ２側の処理を説明するためのフローチャートである。図２に示す処理では、ＴＶ１を第１のテレビ受信機とし、ＳＴＢ２を第２のテレビ受信機として想定している。但し、後述する処理はＴＶ１とＳＴＢ２とを入れ換えても同様に実施できる処理である。
【００３６】
まず、ＴＶ１の制御部１００では、予め設定されている時間毎（定期的）、あるいは、図示しないユーザインターフェースによるユーザからのＥＰＧ情報の取得要求に基づいてＥＰＧ情報の取得処理（更新処理）を開始するようになっている（ステップＳ１０１）。ＥＰＧ情報の更新処理を開始すると、制御部１００は、まず、復調器１０２あるいはアナログ復調器１０５が使用中であるか否かを確認する（ステップＳ１０２）。たとえば、特定のチャンネルの放送波を受信中である場合（ユーザが特定の放送局の放送を視聴中である場合）、制御部１００は、デジタル放送波の受信系（デジタルチューナ１０１、復調器１０２）あるいはアナログ放送波の受信系（アナログチューナ１０４、アナログ復調器１０５）が使用中であると判断する。なお、以下の説明では、各チャンネルのデジタル放送波に各放送局のＥＰＧ情報が含まれているデジタル放送波から各放送局のＥＰＧ情報を取得する場合を想定するものとする。
【００３７】
当該ＴＶ１の受信系が使用中でないと判断した場合（ステップＳ１０２、ＮＯ）、制御部１００は、デジタル放送波の受信系（１０１、１０２）を用いて各チャンネルのデジタル放送波からＥＰＧ情報を取得する処理を行う（ステップＳ１０３）。このＥＰＧ情報の取得処理により各放送局のＥＰＧ情報を取得すると、ＥＰＧ処理部１１０は、取得した各放送局のＥＰＧ情報をメモリ部１１１に保存する。これにより、上記メモリ部１１１には、最新のＥＰＧ情報が蓄積される。
【００３８】
また、当該ＴＶ１の受信系が使用中であると判断した場合（ステップＳ１０２、ＹＥＳ）、制御部１００は、ＥＰＧ情報を取得する機能を有しているＳＴＢ２が制御端子１１３を介して接続されているか否かを判断する（ステップＳ１０４）。この判断によりＥＰＧ情報の取得機能を有するＳＴＢ２が接続されていないと判断した場合（ステップＳ１０４、ＮＯ）、制御部１００は、ＥＰＧ情報の更新処理を終了する。
【００３９】
上記判断によりＥＰＧ情報の取得機能を有するＳＴＢ２が接続されていると判断した場合（ステップＳ１０４、ＹＥＳ）、制御部１００は、当該ＳＴＢ２に対して最新のＥＰＧ情報の取得を要求する（ステップＳ１０５）。たとえば、制御部１００は、ＥＰＧ処理部１１０、ＥＰＧデータ通信用回路１１２及び制御端子１１３を介してＳＴＢ２に最新のＥＰＧ情報の取得を要求（依頼）するコマンドを送信する。
【００４０】
これに対して、ＳＴＢ２の制御部２００では、制御端子２１３およびＥＰＧデータ通信用回路２１２、ＥＰＧ処理部２１０を介してＴＶ１からの最新のＥＰＧ情報の取得要求を受信する（ステップＳ２０１）。ＴＶ１からのＥＰＧ情報の取得要求を受信した制御部２００は、復調器２０２あるいはアナログ復調器２０５が使用中であるか否かを確認する（ステップＳ２０２）。たとえば、特定のチャンネルのデジタル放送波を受信中である場合（たとえば、ユーザによる録画予約に応じて特定のチャンネルのデジタル放送を録画中である場合）、制御部１００は、デジタル放送波の受信系（デジタルチューナ１０１、復調器１０２）が使用中であると判断する。
【００４１】
当該ＳＴＢ２の受信系が使用中でないと判断した場合（ステップＳ２０２、ＮＯ）、制御部２００は、デジタル放送波の受信系（２０１、２０２）を用いて各放送局のＥＰＧ情報を取得する処理を行う（ステップＳ２０３）。このＥＰＧ情報の取得処理により各放送局のＥＰＧ情報を取得すると、ＥＰＧ処理部２１０は、取得したＥＰＧ情報をメモリ部２１１に保存する。これにより、上記メモリ部２１１には、最新のＥＰＧ情報が蓄積される。上記ＥＰＧ情報の取得処理により最新のＥＰＧ情報をメモリ部２１１に保存すると、ＥＰＧ処理部２１０は、ＥＰＧデータ通信用回路２１２および制御端子２１３を介して、上記メモリ部２１１に保存したＥＰＧ情報をＴＶ１へ送信する（ステップＳ２０４）。
【００４２】
また、当該ＳＴＢ２の受信系が使用中であると判断した場合（ステップＳ２０２、ＹＥＳ）、制御部２００は、ＥＰＧ情報の取得処理を行うことなく、既にメモリ部２１１に記憶されているＥＰＧ情報をＴＶ１へ送信する（ステップＳ２０４）。なお、ＳＴＢ２における受信系が使用中であった場合（つまり、ＥＰＧ情報が取得できない状況であった場合）、ＳＴＢ２の制御部２００は、ＴＶ１からのＥＰＧ情報の取得要求に対する応答として、ＥＰＧ情報が取得できなかった旨を送信するようにしても良い。
【００４３】
上記ステップＳ２０４でＳＴＢ２からＴＶ１へ送信されたＥＰＧ情報は、制御端子１１３およびＥＰＧデータ通信用回路１１２を介してＴＶ１のＥＰＧ処理部１１０により受信される（ステップＳ１０６）。ＳＴＢ２からＥＰＧ情報を受信すると、ＴＶ１のＥＰＧ処理部１１０は、ＳＴＢ２から受信したＥＰＧ情報とメモリ部１１１に保存されているＥＰＧ情報とを比較する（ステップＳ１０７）。この比較では、ＳＴＢ２から受信したＥＰＧ情報がメモリ部１１１に保存されているＥＰＧ情報よりも新しいか否かが判断される。  
この比較によりＳＴＢ２から受信したＥＰＧ情報がメモリ部１１１に保存されているＥＰＧ情報よりも新しいと判断した場合、ＥＰＧ処理部１１０は、メモリ部１１１に記憶されているＥＰＧ情報をＳＴＢ２から受信したＥＰＧ情報に基づいて更新する（ステップＳ１０９）。
【００４４】
なお、ＳＴＢ２において全チャンネルの放送波から全放送局分のＥＰＧ情報が取得できた場合、ＳＴＢ２から受信したＥＰＧ情報は、全放送局分の情報が最新の情報である（メモリ部１１１に記憶されている情報よりも新しい）と考えられる。この場合、ＥＰＧ処理部１１０は、ステップＳ１０７の比較処理を省略して、メモリ部１１１に記憶される各放送局のＥＰＧ情報をＳＴＢ２から受信したＥＰＧ情報により更新するようにしても良い。
【００４５】
また、ＳＴＢ２において一部の放送局のＥＰＧ情報しか取得できなかった場合、あるいは、ＥＰＧ情報の取得処理が実行できずにメモリ部２１１に記憶されているＥＰＧ情報をＴＶ１へ送信した場合、ＳＴＢ２から受信したＥＰＧ情報は、一部の放送局分の情報のみがメモリ部１１１に記憶されている情報よりも新しいことも考えられる。このような場合、ＥＰＧ処理部１１０では、ＳＴＢ２から受信したＥＰＧ情報のうち新しい情報に基づいてメモリ部１１１に記憶されているＥＰＧ情報を更新するようにしても良い。
【００４６】
なお、図２（ａ）及び（ｂ）に示す処理は、ＴＶ１とＳＴＢ２とを入れ換えて実施することも可能である。つまり、ＳＴＢ２がＥＰＧ情報を取得できない状態である場合、ＳＴＢがＴＶ１のＥＰＧ情報の取得機能を制御することにより、ＥＰＧ情報をＴＶ１に取得させ、ＴＶ１が取得したＥＰＧ情報に基づいてＳＴＢ２のメモリ部２１１に記憶されているＥＰＧ情報を更新するようにしても良い。
【００４７】
以上のように、ＴＶ１とＳＴＢ２とが接続されているシステムにおいて、ＴＶ１は、ＥＰＧ情報を更新する場合、放送波からのＥＰＧ情報が取得可能な状態であるか否かを判断し、ＥＰＧ情報の取得が可能な状態でなければ、ＳＴＢ２にＥＰＧ情報の取得を要求する。ＳＴＢ２では、ＴＶ１からＥＰＧ情報の取得要求が与えられた場合、放送波からのＥＰＧ情報の取得が可能な状態あれば、ＥＰＧ情報の取得処理を行い、取得したＥＰＧ情報（最新のＥＰＧ情報）をＴＶ１へ送信する。これにより、ＴＶ１では、ＳＴＢ２から受信したＥＰＧ情報に基づいて、メモリ部１１１に保存しているＥＰＧ情報を更新する。
【００４８】
すなわち、ＴＶ１とＳＴＢ２とが接続されているシステムにおいて、一方の機器は、ＥＰＧ情報を取得できない状態であっても、他方の機器に最新のＥＰＧ情報を取得させて、その最新のＥＰＧ情報を取得することが可能となる。この結果として、たとえば、特定のチャンネルのみを長時間受信している状況であっても、ＴＶ１あるいはＳＴＢ２は、全てのチャンネルのＥＰＧ情報を最新の情報に更新することが可能となる。
【００４９】
また、本実施の形態で説明したシステムは、大規模なネットワークを構築したり、専用のデータサーバを設置したりすることなく、ＴＶ１とＳＴＢ２とを通信回線等により接続させるだけで実現できる。また、本実施の形態で説明したシステムは、各種の放送波に対して１つの受信系しか搭載していないＴＶ１あるいはＳＴＢ２により構築できる。つまり、上記したシステムは、コストが安く、ネットワーク設定などの複雑な設定なども不用である。
【００５０】
なお、この発明は、上述した実施の形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５１】
【図１】本発明の実施の形態に係るテレビ放送の受信システムの構成例を示す図である。
【図２】ＥＰＧ情報の取得処理（更新処理）を説明するためのフローチャートである。
【符号の説明】
【００５２】
１…テレビジョン受像装置（テレビ受信機）、２…周辺機器（テレビ受信機）、３…アンテナ、１００、２００…制御部、１００ａ、２００ａ…タイマ、１０１、２０１…デジタルチューナ（受信系）、１０２、２０２…復調器（受信系）、１０３、２０３…トランスポートストリーム処理部（抽出部）、１０４、２０４…アナログチューナ（受信系）、１０５、２０５…アナログ復調器（受信系）、１０６、２０６…アナログＥＰＧ処理回路（抽出部）、１０７、２０７…信号処理部、１０８…表示部、１１０、２１０…ＥＰＧ処理部（処理部）、１１１、２１１…メモリ部（メモリ）、１１２、２１２…ＥＰＧデータ通信用回路（インターフェース）、１１３、２１３…制御端子（インターフェース）。
【図１】
2009016911.tif 000003
【図２】
2009016911.tif 000004